(57)【特許請求の範囲】
【請求項１】
光源の使用の有無を判別する判別部を備えた光源装置であって、
前記判別部からの情報を検出する検出回路基板上に設けられた２つの端子間を短絡するスイッチング部材を備え、
このスイッチング部材が感熱変形部材で形成されており、
前記スイッチング部材を収納する収納部を有し、前記スイッチング部材は、前記検出回路基板と接触する接点部が収納部上端面から突出した状態で前記収納部内に収納され、前記スイッチング部材が感熱により変形した後は、前記接点部が前記収納部内に収納されることを特徴とする光源装置。
【請求項２】
光源の使用の有無を判別する判別部を備えた光源装置であって、
前記判別部からの情報を検出する検出回路基板上に設けられた２つの端子間を短絡するスイッチング部材を備え、
このスイッチング部材が感熱変形部材で形成されており、
前記スイッチング部材は板ばね状のクリップであり、前記検出回路基板から突出して設けられた前記２つの端子を挟持することにより接触可能となっており、
前記スイッチング部材は熱変形後、形状が元に戻らないことを特徴とする光源装置。
【請求項３】
請求項１に記載の光源装置において、
前記スイッチング部材は、前記検出回路の端子に接触可能となっていることを特徴とする光源装置。
【請求項４】
請求項１〜３のいずれかに記載の光源装置において、
前記スイッチング部材は、少なくとも２部材で形成されていることを特徴とする光源装置。
【請求項５】
請求項１〜３のいずれかに記載の光源装置において、
スイッチング部材は、１部材で形成されていることを特徴とする光源装置。
【請求項６】
請求項１又は２記載の光源装置において、
前記スイッチング部材は、前記光源装置が収納されるランプハウジングの光源の出射部寄りに設けられていることを特徴とする光源装置。
【請求項７】
請求項１〜６のいずれかに記載の光源装置において、
前記スイッチング部材を変形させる感熱動作温度は、前記光源を保持する光源保持構造部材の耐熱温度以下であることを特徴とする光源装置。
【請求項８】
請求項１〜７のいずれかに記載の光源装置において、
前記感熱変形部材は、形状記憶合金で形成されていることを特徴とする光源装置。
【請求項９】
請求項８に記載の光源装置において、
前記形状記憶合金は、Ｔｉ−Ｎｉ系の形状記憶合金であることを特徴とする光源装置。
【請求項１０】
請求項１〜９のいずれかに記載の光源装置と、
前記光源装置から出射される光束を画像情報に応じて光学像を形成する電気光学装置と、
この電気光学装置で形成された画像を拡大投写する投写レンズとを備えたことを特徴とするプロジェクター。
【発明の詳細な説明】
【０００１】
【発明の属する技術分野】
本発明は、光源の使用の有無を判別する判別部を備えた光源装置と、この判別部からの情報を検出するランプ情報検出回路基板とを備えた光源装置およびプロジェクターに関する。
【０００２】
【背景技術】
従来、光源から出射される光束を画像情報に応じて光学像を形成する電気光学装置と、この電気光学装置で形成された画像を拡大投写する投写レンズとを備えたプロジェクターが知られている。このようなプロジェクターは、会議、学会、展示会等でのマルチメディアプレゼンテーションに広く利用されている。
【０００３】
このようなプロジェクターでは、投写された映像に対して、安定した輝度や発色状態を確保するために、従来は、メタルハライドランプ、キセノンランプなどの光源ランプを、リフレクタに固定し、ランプハウジング内に収納した光源装置が利用されている。このランプハウジングには、その外周部に、光源の使用の有無を判別するランプ情報担持素子であるヒューズを備えたランプ情報担持回路基板が設けられている。
【０００４】
一方、プロジェクター本体は、ランプ情報担持回路基板からの情報を検出するランプ情報検出回路基板を備え、光源装置のランプ点灯時間を積算し、光源ランプの使用限界がきた際に、強制的にシャットダウンしたり、投写画面上にその旨を表示するように構成されている。具体的には、（１）プロジェクター本体に新しい光源装置を装着すると、ランプ情報検出回路基板とランプ情報担持回路基板とが接続され、（２）当該ランプ情報検出回路基板がランプ情報担持回路基板に設けられているヒューズの電気的導通の有無を確認し、（３）装置本体に記録されたランプ使用積算時間がリセットされ、（４）ランプ情報担持回路基板のヒューズを切って当該光源装置の使用時間の積算を開始する。
【０００５】
このようなランプ情報担持回路基板およびランプ情報検出回路基板は、ランプ情報検出回路基板がヒューズを覆うように、装置内部で積層配置されている。
【０００６】
【発明が解決しようとする課題】
ところで、プロジェクターは、プレゼンテーション用の会議室等に設置された状態に維持されることもあるが、必要に応じて持ち込まれたり、終了後に他の場所に移して保管する場合もある。従って、持ち運びを容易にするために携帯性を向上させる必要があり、一層の小型化が求められている。
【０００７】
しかしながら、ランプ情報担持回路基板およびランプ情報検出回路基板が、当該ランプ情報検出回路基板がヒューズを覆うように配置されていては、ランプ情報担持回路基板の厚さ寸法と、このランプ情報担持回路基板に設けられるヒューズの突出寸法と、ランプ情報検出回路基板の厚さ寸法との和で表される総厚さ寸法よりも大きな高さ寸法を有するスペースが装置内部に必要となるので、プロジェクターの小型化を図るのが困難であるという問題がある。
【０００８】
本発明の目的は、小型化を促進できる光源装置およびプロジェクターを提供することにある。
【０００９】
【課題を解決するための手段】
本発明の光源装置は、光源の使用の有無を判別する判別部を備えた光源装置であって、判別部からの情報を検出する検出基板の２端子間を短絡するスイッチング部材を備え、このスイッチング部材が感熱変形部材で形成されていることを特徴とするものである。
【００１０】
このような本発明によれば、スイッチング部材が感熱変形部材で形成されているので、光源に近い部位に設けることができる。従って、光源装置を収容するランプハウジングの高さの範囲内に設けることができ、高さ方向に突出させなくてすむので、プロジェクターの小型化を図ることが可能となる。
【００１１】
以上において、感熱変形部材を、加熱することにより記憶した初期の形状に戻る形状記憶合金のうち、例えばＴｉ−Ｎｉ系の形状記憶合金で形成し、このような形状記憶合金で形成されたスイッチング部材は、検出基板の平面２箇所の端子に接触可能となっていることが好ましい。
【００１２】
このような本発明によれば、形状記憶合金を最初に所定形状に設定しておくだけでよいので、複雑な構造としなくてもすみ、その上、平面部に接触させればよく、スイッチング部材の接触部の位置を揃えて製作しやすいので、製作が容易であり、コストが安くてすむ。
【００１３】
また、本発明において、スイッチング部材は、垂直面内で相対するように設けられた検出回路の２箇所の端子に接触可能となっていてもよい。
【００１４】
このような本発明によれば、スイッチング部材をクリップ状に形成することができ、クリップは１枚の板部材で形成できるので、スイッチング部材の構造が簡単となり、製作が容易となる。
【００１５】
さらに、本発明において、スイッチング部材は、少なくとも２部材で形成されていることが好ましいが、１部材で形成されていてもよい。
【００１６】
このような本発明によれば、２部材で形成する場合、１部材を感熱部材で形成すれば、残りの１部材は感熱部材を使用しなくてもすみ、その分コストが安くてすむ。１部材で形成する場合、例えば２部材を接続したりして製作する場合と比べて、手間が少なくてすみ、かつ、製作が容易となり、コストも安くてすむ。
【００１７】
また、本発明において、スイッチング部材は、光源装置が収納されるランプハウジングの光源の出射部寄りに設けられていることが好ましい。
【００１８】
このような本発明によれば、スイッチング部材が光源の熱を受けやすく、従って、感熱感知動作時間を短くすることができ、光源の使用の有無を短時間で判別することができるようになる。
【００１９】
また、本発明において、スイッチング部材は、その接点部および先端部が収納部上端面から突出した状態で収納部内に設けられるとともに、感熱による変形後は、接点部および先端部が収納部内に収納されるものであってもよい。
【００２０】
このような本発明によれば、スイッチング部材がむき出しにならないので、破損するおそれが少ない。
【００２１】
また、本発明において、スイッチング部材を変形させる感熱動作温度は、光源を保持する光源保持構造部材の耐熱温度以下であることが好ましい。
【００２２】
ここで、光源保持構造部材の耐熱温度以下の温度は、例えば、使用上限温度＋５０〜２００℃である。
【００２３】
このような本発明によれば、光源保持構造部材が熱によって損傷することがない。
【００２４】
本発明の他の光源装置は、光源の使用の有無を判別する判別部を備えた光源装置であって、判別部が感熱変形部材で構成されていることを特徴とするものである。
【００２５】
このような本発明によれば、ヒューズ代替品として形状記憶合金等の感熱変形部材を採用することにより、検出基板およびランプ基板間の距離を少なくすることができ、これにより、装置の薄型化、小型化を図れる。
【００２６】
以上において、感熱変形部材は、加熱することにより記憶した初期の形状に戻る形状記憶合金を使用することが好ましく、形状記憶合金としては、例えば、Ｔｉ−Ｎｉ系の形状記憶合金を使用することが好まし。
【００２７】
このような本発明によれば、形状記憶合金を最初に所定形状に設定しておくだけでよいので、複雑な構造とせずにすみ。コストが安くてすむ。
【００２８】
また、本発明において、判別部は、一方の端子部に固定される固定部と、他方の端子部に係合離脱する接触部とを有することが好ましい。
【００２９】
このような本発明によれば、他方の端子部をスライドさせたり、反らせたりする構成で目的を達成できるので、構造が簡単となり、製作およびコストが安くてすむ。
【００３０】
さらに、本発明において、判別部を変形させる感熱動作温度は、光源を保持する光源保持構造部材の耐熱温度以下であることが好ましい。
【００３１】
ここで、光源保持構造部材の耐熱温度以下の温度は、例えば、使用上限温度＋５０〜２００℃である。
【００３２】
このような本発明によれば、光源保持構造部材が熱によって損傷することがない。
【００３３】
本発明のプロジェクターは、光源装置の光源から出射される光束を画像情報に応じて光学像を形成する電気光学装置と、この電気光学装置で形成された画像を拡大投写する投写レンズとを備えたプロジェクターであって、光源装置は、請求項１〜１５のいずれかに記載の光源装置を備えて構成されていることを特徴とするものである。
【００３４】
このような本発明によれば、薄型化、小型化を図れるプロジェクターとすることができる。
【００３５】
【発明の実施の形態】
以下、本発明の第１実施形態を図面に基づいて説明する。
【００３６】
（１）装置の全体構成
図１、図２には、本実施形態に係るプロジェクター１の概略斜視図が示され、図１は上面側から見た斜視図、図２は下面側から見た斜視図である。
【００３７】
プロジェクター１は、光源としての光源装置から出射された光束を赤（Ｒ）、緑（Ｇ）、青（Ｂ）の三原色に分離し、これらの各色光束を、電気光学装置を構成する液晶パネルを通して画像情報に対応させて変調し、変調した後の各色の変調光束をクロスダイクロイックプリズム（色合成光学系）により合成して、投写レンズ６を介して投写面上に拡大表示する形式のものである。各構成部品は外装ケース２の内部に収納されているが、投写レンズ６はそのズーム機構により、必要に応じて外装ケース２から突出可能に設けられている。
【００３８】
（２）外装ケースの構造
外装ケース２は、基本的には、装置上面を覆うアッパーケース３と、装置底面を構成するロアーケース４と、正面部分を覆うフロントケース５とから構成され、アッパーケース３およびロアーケース４がマグネシウムダイキャスト製で、フロントケース５が樹脂製である。
【００３９】
アッパーケース３の上面右側（正面から見て右側）には、樹脂製のフィルタ交換蓋２４１で覆われた空気取入口２４０が設けられている。このフィルタ交換蓋２４１には、外部から取り入れた空気を装置内部へ冷却空気として導入するためのスリット状の開口２４１Ａが形成され、当該フィルタ交換蓋２４１の内側には、エアフィルタ２４２（図８）が設けられている。このフィルタ交換蓋２４１をアッパーケース３の上面側から着脱することで、内部のエアフィルタ２４２を交換することが可能である。
【００４０】
また、アッパーケース３の上面において、フィルタ交換蓋２４１の前方には、スピーカ２５０（図７）用の多数の連通孔２５１が穿設されている。連通孔２５１の側方には、プロジェクター１の画質等を調整するための操作パネル６０が設けられている。これらのフィルタ交換蓋２４１、連通孔２５１、および操作パネル６０が設けられている部分は、図７、図８に示されるように、アッパーケース３の一部が上方に膨出した膨出部３Ａになっており、この膨出部３Ａによって形成される内部空間に前述のエアフィルタ２４２や、スピーカ２５０、操作パネル６０用の回路基板６１等が収容されている。
【００４１】
図２において、ロアーケース４の底面には、内部に収納される光源ランプユニット８（図３、図４）を交換するためのランプ交換蓋２７が設けられている。ロアーケース４の底面前方側の角部にはフット３１Ｒ、３１Ｌが設けられ、後方側の中央にはフット３１Ｃが設けられている。なお、フット３１Ｒ、３１Ｌは、ダイヤル部分を回転させたり、レバー３２Ｒ、３２Ｌを操作することで突出方向に進退する構成であり、その進退量を調整することによって表示画面の高さや傾きを変更することが可能である。
【００４２】
フロントケース５前面の向かって右側部分には、図示略のリモートコントローラからの光信号を受信するための受光部７０が設けられている。フロントケース５の略中央には、装置内部の空気を排出する排気口１６０が設けられている。
【００４３】
このような外装ケース２の空気取入口２４０寄りの側面および背面には、外部電源との接続用のＡＣインレット５０や各種の入出力端子群５１が配置されている。
【００４４】
（３）装置の内部構造
図３〜図８には、プロジェクター１の内部構造が示されている。図３は装置内部の概略斜視図、図４は光学系を示す斜視図、図５、図６は光学系の内部を示す斜視図、図７、図８はプロジェクター１の垂直断面図である。
【００４５】
これらの図において、外装ケース２の内部には、光源ランプユニット８、電源としての電源ユニット９、光学ユニット１０、ドライバーボード１１（図８）、メインボード１２、ＡＶボード１３などが配置されている。そして、本実施形態では、光源ランプユニット８、光学ユニット１０、および前述した投写レンズ６により、図９にも示されるように、本発明に係る平面Ｕ字形状の光学系が構成され、各ボード１１、１２、１３で本発明に係る制御系が構成されている。
【００４６】
電源ユニット９は、光学系の投写レンズ６側の側部に配置された第１電源ブロック９Ａ、平面Ｕ字型の光学系における中央の開口部１４内、すなわち投写レンズ６と光源ランプユニット８との間に配置された第２電源ブロック９Ｂ、光学系の光源ランプユニット８側の側部に配置された第３電源ブロック９Ｃで構成されている。
【００４７】
第１電源ブロック９Ａは、ＡＣインレット５０を備えており、このＡＣインレット５０を通して得られる外部電源からの電力を第２電源ブロック９Ｂおよび第３電源ブロック９Ｃに分配供給している。
【００４８】
第２電源ブロック９Ｂは、第１電源ブロック９Ａから得られる電力を変圧して主に制御系を構成するメインボード１２に供給している。この第２電源ブロック９Ｂの排気口１６０側には、当該第２電源ブロック９Ｂからの電力で駆動される補助排気ファン１５が取り付けられている。
【００４９】
第３電源ブロック９Ｃは、第１電源ブロック９Ｂから得られる電力を変圧して光源１８３（図９）に供給している。すなわち、第３電源ブロック９Ｃは、最も消費電力の大きい光源１８３に電力を供給する必要から、第１、第２電源ブロック９Ａ、９Ｂよりも大きく、装置１の前後にわたる大きさに設けられている。
【００５０】
このような第１〜第３電源ブロック９Ａ〜９Ｃは、投写レンズ６や光学ユニット１０に先がけてロアーケース４にネジ等によって固定される。なお、第１電源ブロック９Ａは、第２電源ブロック９Ｂにのみ電力を供給し、第３電源ブロック９Ｃはその第２電源ブロック９Ｂから電力が分配されるようにしてもよい。
【００５１】
光源ランプユニット８は、図９に示されるように、光源ランプ１８１および凹面鏡１８２からなる光源１８３と、この光源１８３を収納するランプハウジング１８４とを有している。
【００５２】
なお、ランプハウジング１８４には、光源ランプ１８１の使用の有無を判別する判別部２６０が設けられている。
【００５３】
そして、ランプハウジング１８４において、光源装置である光源ランプユニット８は、後述のライトガイド９００を構成する上ライトガイド９０１と一体の収容部９０２１で覆われており、上述したランプ交換蓋２７を開けて取り外せるように構成されている。収容部９０２１の前方には、排気口１６０に対応した位置に補助排気ファン１５よりも大きい主排気ファン１６が配置されている。そして、この主排気ファン１６も第２電源ブロック９Ｂからの電力で駆動される。
【００５４】
光学ユニット１０は、光源ランプユニット８から出射された光束を、光学的に処理して画像情報に対応した光学像を形成するユニットであり、ライトガイド９００を備えている。このライトガイド９００は、樹脂製で箱状とされた上ライトガイド９０１と、マグネシウム製で蓋状とされた下ライトガイド９０２とで構成され、その内部には照明光学系９２３、色光分離光学系９２４、変調系としての電気光学装置９２５、および色合成光学系としてのクロスダイクロイックプリズム９１０が収容されている。また、下ライトガイド９０２には投写レンズ６が固定される鉛直なヘッド板９０３が設けられている。電気光学装置９２５およびクロスダイクロイックプリズム９１０以外の光学ユニット１０の光学素子は、上下のライトガイド９０１、９０２の間に挟まれて保持された構成となっている。これらの上ライトガイド９０１、下ライトガイド９０２は一体とされて、ロアーケース４の側に固定されている。
【００５５】
クロスダイクロイックプリズム９１０は、ヘッド板９０３の裏面側であって、下ライトガイド９０２上に固定されている。電気光学装置９２５を構成する各液晶パネル９２５Ｒ、９２５Ｇ、９２５Ｂは、クロスダイクロイックプリズム９１０の３側面と対向配置され、クロスダイクロイックプリズム９１０の対向する面に固定部材を介して接着固定されている。なお、各液晶パネル９２５Ｒ、９２５Ｇ、９２５Ｂの互いの位置関係は、液晶パネル９２５Ｂと液晶パネル９２５Ｒとがクロスダイクロイックプリズム９１０を挟んで対向した位置に設けられ、液晶パネル９２５Ｇがクロスダイクロイックプリズム９１０を挟んで投写レンズ６と対向した位置に設けられている。そして、これらの液晶パネル９２５Ｒ、９２５Ｇ、９２５Ｂは、クロスダイクロイックプリズム９１０の上方に位置しかつ前述の空気取入口２４０に対応して設けられた吸気ファン１７からの冷却用空気によって冷却される。この際、吸気ファン１７駆動用の電力は、メインボード１２からドライバーボード１１を介して供給される。
【００５６】
ドライバーボード１１は、上述した電気光学装置９２５の各液晶パネル９２５Ｒ、９２５Ｇ、９２５Ｂを制御するためのものであり、光学ユニット１０の上方に配置されている。
【００５７】
メインボード１２は、プロジェクター１全体を制御する制御回路が形成されたものであり、光学ユニット１０の後方に立設されている。従って、メインボード１２とドライバーボード１１とは互いに直角に配置されてコネクタを介して電気的に接続されている。なお、このメインボード１２には、判別部２６０からの情報を検出するランプ情報検出基板２３０が、ケーブルを介して接続されている。
【００５８】
ＡＶボード１３は、前述の入出力端子群５１を備えた回路基板であって、光学ユニット１０とメインボード１２との間に立設され、メインボード１２に電気的に接続されている。
【００５９】
（４）光学系の構造
次に、図５、図９を参照して光学系の光学ユニット１０について詳細に説明する。
【００６０】
光学ユニット１０は、それぞれ上ライトガイド９０１内に収容された照明光学系９２３と、色光分離光学系９２４と、リレー光学系９２７と、それぞれ下ライトガイド９０２に固定された電気光学装置９２５と、色光合成光学系としてのクロスダイクロイックプリズム９１０と、下ライトガイド９０２のヘッド板９０３に固定された投写レンズ６とで構成されている。
【００６１】
照明光学系９２３は、電気光学装置９２５の３枚の液晶パネル９２５Ｒ、９２５Ｇ、９２５Ｂの画像形成領域をほぼ均一に照明するためのインテグレータ照明光学系であり、光源１８３と、第１のレンズアレイ９２１と、第２のレンズアレイ９２２と、反射ミラー９３１と、重畳レンズ９３２とを備えている。これらのレンズアレイ９２１、９２２、重畳レンズ９３２、および反射ミラー９３１は、上ライトガイド９０１の立上部分に支持された状態で配置されているとともに、脱落防止部材としてのクリップ７によって固定され、上ライトガイド９０１を図３に示す状態から反転させても脱落しないようになっている。
【００６２】
照明光学系９２３を構成する光源１８３は、放射状の光線を出射する放射光源としての光源ランプ１８１と、光源ランプ１８１から出射された放射光をほぼ平行な光線束として出射する凹面鏡１８２とを有する。光源ランプ１８１としては、ハロゲンランプやメタルハライドランプ、または高圧水銀ランプが用いられることが多い。凹面鏡１８２としては、放物面鏡や楕円面鏡を用いることが好ましい。
【００６３】
第１のレンズアレイ９２１は、略矩形状の輪郭を有する小レンズ９２１１がＭ行Ｎ列のマトリクス状に配列された構成を有している。各小レンズ９２１１は、光源から入射された平行な光束を複数の（すなわちＭ×Ｎ個の）部分光束に分割し、各部分光束を第２のレンズアレイ９２２の近傍で結像させる。各小レンズ９２１１の輪郭の形状は、液晶パネル９２５Ｒ、９２５Ｇ、９２５Ｂの画像形成領域の形状とほぼ相似形をなすように設定されている。例えば、液晶パネルの画像形成領域のアスペクト比（横と縦の寸法の比率）が４：３であるならば、各小レンズのアスペクト比も４：３に設定する。
【００６４】
第２のレンズアレイ９２２も、第１のレンズアレイ９２１の小レンズ９２１１に対応するように、小レンズ９２２１がＭ行Ｎ列のマトリクス状に配列された構成を有している。第２のレンズアレイ９２２は、第１のレンズアレイ９２１から出射された各部分光束の中心軸（主光線）が重畳レンズ９３２の入射面に垂直に入射するように揃える機能を有している。ここで、重畳レンズ９３２は、複数の部分光束を３枚の液晶パネル９２５Ｒ、９２５Ｇ、９２５Ｂ上で重畳させる機能を有している。また、第２のレンズアレイ９２２は、図５に示されるように、反射ミラー９３１を挟んで第１のレンズアレイ９２１に対して９０度傾いて配置されている。
【００６５】
反射ミラー９３１は、第１のレンズアレイ９２１から出射された光束を第２のレンズアレイ９２２に導くためのミラーであり、照明光学系の構成によっては、必ずしも必要としない。例えば、第１のレンズアレイ９２１および光源が第２のレンズアレイ９２２に平行に設けられていれば不要である。
【００６６】
色光分離光学系９２４は、本発明に係る光学部品としての２枚のダイクロイックミラー９４１、９４２と、反射ミラー９４３とを備え、照明光学系９２３の重畳レンズ９３２から出射される光を、赤、緑、青の３色の色光に分離する機能を有している。各ミラー９４１、９４２、９４３は、前述と同様に上ライトガイド９０１の立上部分に支持され、クリップ７によって上ライトガイド９０１に固定されている。
【００６７】
リレー光学系９２７は、入射側レンズ９５４、リレーレンズ９７３、および反射ミラー９７１、９７２を備えており、これらの反射ミラー９７１、９７２もクリップ７によって上ライトガイド９０１に固定されている。
【００６８】
電気光学装置９２５の液晶パネル９２５Ｒ、９２５Ｇ、９２５Ｂは、例えば、ポリシリコンＴＦＴをスイッチング素子として用いたものである。各液晶パネル９２５Ｒ、９２５Ｇ、９２５Ｂは、上ライトガイド９０１の外側であって、上ライトガイド９０１の外周に設けられた凹状部９０４（図５）に対応して配置され、かつクロスダイクロイックプリズム９１０の三方の側面に対向した状態でクロスダイクロイックプリズム９１０の対向する面に固定部材を介して接着固定されている。各液晶パネル９２５Ｒ、９２５Ｇ、９２５Ｂの光入出射面側には、入射側偏光板９６０Ｒ、９６０Ｇ、９６０Ｂが、光出射面側には出射側偏光板９６１Ｒ、９６１Ｇ、９６１Ｂがそれぞれ配置されている。
【００６９】
クロスダイクロイックプリズム９１０は、３色の色光を合成してカラー画像を形成する機能を有し、下ライトガイド９０２の上面に固定ネジにより固定されている。クロスダイクロイックプリズム９１０には、赤光を反射する誘電体多層膜と、青光を反射する誘電体多層膜とが、４つの直角プリズムの界面に沿って略Ｘ字状に形成され、これらの誘電体多層膜によって３つの色光が合成される。
【００７０】
投写レンズ６は、プロジェクター１の中でも最も重量の大きい光学部品であり、その基端側に設けられたフランジ６２を介して下ライトガイド９０２のヘッド板９０３にネジ等で固定されている。
【００７１】
以上のように構成された光学ユニット１０は、以下のようにして組み立てられる。
【００７２】
先ず、箱状の上ライトガイド９０１をその開口側が上向きとなるようにして置き、この上ライトガイド９０１内に照明光学系９２３、色光分離光学系９２４、およびリレー光学系９２７などを構成する各光学部品（反射ミラー、各種のレンズ等）を配置し、それらの光学部品をクリップ７で上ライトガイド９０１に固定する。
【００７３】
一方、蓋状の下ライトガイド９０２においては、その上面に液晶パネル９２５Ｒ、９２５Ｇ、９２５Ｂを固定したクロスダイクロイックプリズム９１０を固定し、ヘッド板９０３に投写レンズ６を固定しておく。次いで、各光学部品が搭載された上ライトガイド９０１を持って反転させ、下ライトガイド９０２に被せるようにして取り付け、固定する。
【００７４】
最後に、このようにして完成したライトガイド９００を、ロアーケース４にネジ等で固定する。
【００７５】
なお、液晶パネル９２５Ｒ、９２５Ｇ、９２５Ｂ、クロスダイクロイックプリズム９１０、および投写レンズ６を搭載しておいた下ライトガイド９０２を先にロアーケース４に固定しておき、その後、各光学部品が搭載された上ライトガイド９０１を持って反転させ、下ライトガイド９０２に被せるようにして取り付け、しかる後、ネジ等によって、上ライトガイド９０１をロアーケース４に固定するようにしてもよい。
【００７６】
さらに、下ライトガイド９０２のみを先にロアーケース４にネジ止めしておき、そこに液晶パネル９２５Ｒ、９２５Ｇ、９２５Ｂおよびクロスダイクロイックプリズム９１０を搭載したり、投写レンズ６を固定したりし、その後、各光学部品が搭載された上ライトガイド９０１を持って反転させ、下ライトガイド９０２に被せるようにして取り付け、しかる後、ネジ等によって、上ライトガイド９０１をロアーケース４に固定するようにしてもよい。
【００７７】
また、本実施形態において、下ライトガイド９０２へのクロスダイクロイックプリズム９１０や投写レンズ６の固定、ロアーケース４への上下ライトガイド９０１、９０２の固定は、ネジによって行われているが、そのような固定を接着や嵌合形式など、他の適宜な固定方法で行ってもよい。
【００７８】
（５）光学系の機能
図９に示す光学ユニット１０において、光源１８３から出射された略平行な光束は、インテグレータ光学系（照明光学系９２３）を構成する第１と第２のレンズアレイ９２１、９２２によって、複数の部分光束に分割される。第１のレンズアレイ９２１の各小レンズ９２１１から出射された部分光束は、重畳レンズ９３２によって、液晶パネル９２５Ｒ、９２５Ｇ、９２５Ｂの画像形成領域上で概ね重畳される。その結果、各液晶パネル９２５Ｒ、９２５Ｇ、９２５Ｂは、面内分布がほぼ均一な照明光によって照明される。
【００７９】
この際、色光分離光学系９２４の第１のダイクロイックミラー９４１では、照明光学系９２３から出射された光束の赤色光成分が反射するとともに、青色光成分と緑色光成分とが透過する。第１のダイクロイックミラー９４１によって反射した赤色光は、反射ミラー９４３で反射し、フィールドレンズ９５１を通って赤色用の液晶パネル９２５Ｒに達する。このフィールドレンズ９５１は、第２のレンズアレイ９２２から出射された各部分光束をその中心軸（主光線）に対して平行な光束に変換する。他の液晶パネル９２５Ｇ、９２５Ｂの前に設けられたフィールドレンズ９５２、９５３も同様である。
【００８０】
第１のダイクロイックミラー９４１を透過した青色光と緑色光のうちで、緑色光は第２のダイクロイックミラー９４２によって反射し、フィールドレンズ９５２を通って緑色用の液晶パネル９２５Ｇに達する。一方、青色光は第２のダイクロイックミラー９４２を透過してリレー光学系９２７を通り、さらにフィールドレンズ９５３を通って青色光用の液晶パネル９２５Ｂに達する。なお、青色光にリレー光学系９２７が用いられているのは、青色光の光路の長さが他の色光の光路長さよりも長いため、光の拡散等による光の利用効率の低下を防止するためである。すなわち、入射側レンズ９５４に入射した部分光束をそのまま、フィールドレンズ９５３に伝えるためである。
【００８１】
赤、緑、青の各色光は、液晶パネル９２５Ｒ、９２５Ｇ、９２５Ｂに入射するにあたり、入射側偏光板９６０Ｒ、９６０Ｇ、９６０Ｂで特定の偏光光のみとされる。この後、各偏光光は、各液晶パネル９２５Ｒ、９２５Ｇ、９２５Ｂにおいて与えられた画像情報に従って変調され、変調光として出射側偏光板９６１Ｒ、９６１Ｇ、９６１Ｂに出射される。そして、出射側偏光板９６１Ｒ、９６１Ｇ、９６１Ｂにおいては、変調光のうちの特定の偏光光のみが透過し、クロスダイクロイックプリズム９１０に出射される。出射された各色光の偏光光は、クロスダイクロイックプリズム９１０で合成されて合成光となり、投写レンズ６の方向に出射される。この合成光は、投写レンズ６により投写スクリーン等の投写面上にカラー画像として投射される。
【００８２】
（６）光源ランプユニット
図１０〜図１２には、光源装置である光源ランプユニット８が示されている。
【００８３】
図１０は、光源ランプユニット８を上方からみた斜視図であり、図１１は、下方からみた斜視図であり、図１２は、その側面図である。
【００８４】
光源ランプユニット８は、前述のように、プロジェクター１の光源部分を構成するものであり、光源ランプ１８１およびリフレクタである凹面鏡１８２からなる光源１８３と、この光源１８３を固定・収納するランプハウジング１８４とを有している。
【００８５】
ランプハウジング１８４は、凹面鏡１８２の一部の側面を覆う側部ハウジング２００と、凹面鏡１８２が載置される底部ハウジング２１０とを含んで構成されている。
【００８６】
側部ハウジング２００は、光出射面を規定する開口枠２０１と、凹面鏡１８２の側面の一部を覆う側板部２０２とを含んで構成され、断面コ字形状に一体成形されている。
【００８７】
底部ハウジング２１０は、凹面鏡１８２が載置される載置板２１１と、この載置板２１１の側縁に設けられる立上板２１２とを含んで構成されている。立上板２１２の外側面には、電源ユニット９との電気的接続を行うとともに、光源ランプ１８１に電力を供給するケーブル（図示省略）に接続するコネクタ２１３が設けられている。
【００８８】
（７）判別部およびランプ情報検出回路基板
図１０に示すように、立上板２１２において凹面鏡１８２側先端（光源の出射側寄り）には、開口枠２０１と平行な面を有するとともに、断面Ｌ字状の横立上部２１２Ａが設けられている。この横立上部２１２Ａの上部には、判別部２６０が設けられている。
【００８９】
判別部２６０は、図１３（Ａ）、（Ｂ）に示すように、オーバーハング部２１２Ｂと、スイッチング部材２６１と、蓋部材２６５とを含んで構成されている。オーバーハング部２１２Ｂには、その上面から所定深さとされ、かつ、半円部からランプハウジング１８４の内側に延びた開口部を有する２つの収納部２１５が形成されている。各収納部２１５の下端同士は、ランプハウジング１８４の載置板２１１と平行に開口部側から収納部２１５の半円部先端同士を結ぶ位置まで形成された挿入溝２１６によって連通されている。
【００９０】
このような収納部２１５内には、オーバーハング部２１２Ｂとともに判別部２６０を構成するスイッチング部材２６１が収納されている。
【００９１】
このスイッチング部材２６１は、図１４に示すように、板状の固定部材２６２と、この固定部材１６２の一端側に立設される感熱変形部材としての形状記憶合金製ばね２６３と、他端側に立設される通常のばね２６４とで形成され、各ばね２６３，２６４の先端は平面状に形成された接点部２６３Ａ，２６４Ａとなっている。接点部２６３Ａ，２６４Ａは、後述する検出基板２３０の２つの端子部２３２と接触するようになっている。形状記憶合金製ばね２６３には、Ｔｉ−Ｎｉ系の形状記憶合金が使用され、熱変形後、形状が元に戻らないようになっている。なお、本実施形態では、ばね２６３のみを形状記憶合金製としているが、ばね２６４も形状記憶合金製のばねとすることができる。
【００９２】
このスイッチング部材２６１を収納部２１５内に収納する際は、固定部材２６２を挿入溝２１６に差し込み、かつ、２つのばね２６３，２６４が収納部２１５内の半円部に納まるまでスライドさせる。所定位置に納まったとき、スイッチング部材２６１の２つのばね２６３，２６４における接点部２６３Ａ，２６４Ａを含む先端は、所定寸法だけ収納部２１５の上端面から突出した状態になっている。
【００９３】
オーバーハング部２１２Ｂの収納部２１５の開口側側面には、図１３（Ａ）に示すように、収納部２１５の開口側を塞ぐ蓋部材２６５が着脱可能に設けられている。この蓋部材２６５は、オーバーハング部２１２Ｂの側面の大きさに形成された板部材２６６と、この板部材２６６に取り付けられ、収納部２１５の開口内にはめ込み蓋をする挿入部材２６７とを含んで形成され、挿入部材２６７を開口内にはめ込むとともに、板部材２６６をオーバーハング部２１２Ｂの側面に押し付け、例えば止めねじ等で固定するようになっている。
【００９４】
このようなスイッチング部材２６１に接触する検出基板２３０は、プロジェクター１のケース内のスイッチング部材２６１と接触する位置に設けられており、図１５に示すように、基板本体２３１と、ばね２６３，２６４の接点２６３Ａ，２６４Ａが接触する端子部２３２と、これら端子部２３２から延びる配線２３３と、これら配線２３３の他端が接続されるコネクタ２３４とを含んで構成される。そして、コネクタ２３４からは、図示しないケーブルが延びて、メインボード１２（図３参照）に接続されている。さらに、基板本体２３１には、ロアーケース４の吸入口４Ａを通して装置外部から導入された冷却空気を通過させる冷却空気導入口２３１Ａが形成されている。
【００９５】
以上説明した判別部２６０と検出基板２３０とによって、以下のように光源ランプユニット８が新しいものであるか否かの判断が行われる。
【００９６】
(1)新しい光源ランプユニット８を装着し、プロジェクター１の電源スイッチをオンにすると、メインボード１２からの制御信号に基づいて、電源ブロック９Ｃから検出基板２３０を介して、判別部２６０のスイッチング部材２６１に電気信号が送られ、スイッチング部材２６１の電気的導通が確認され、光源ランプが新しいものであることが検知される。
【００９７】
(2)そして、メインボード１２に配設されたＣＰＵが、この電気的導通を確認すると、メインボード１２のメモリに記録された光源ランプ１８１のそれまでの使用積算時間をリセットする。
【００９８】
(3)続けて、メインボード１２は、制御信号を出力し、電源ブロック９Ｃから大きな電流（過電流）を検出基板２３０を介して判別部２６０のスイッチング部材２６１に出力する。すると、スイッチング部材２６１の形状記憶合金製のばね２６３が感熱動作により変形して縮んだ状態となり、接点２６３Ａおよび先端部が収納部２１５内に収納される。これにより、電気的導通が遮断される。なお、このときのばね２６３の感熱動作温度は、ランプハウジング１８４の耐熱温度以下、例えば、使用上限温度＋５０〜２００℃であることが好ましい。また、感熱動作時間は６０分以下であることが好ましく、３０分以下がより好ましく、１５分以下であることが特に好ましい。
【００９９】
その後、再び電源を投入した場合は、スイッチング部材２６１のばね２６３が縮んだ状態となっており、検出基板２３０の端子部２３２と接触していないので、判別部２６０における電気的導通が確認されず、光源ランプ１８１の使用積算時間がそのまま積算される。
【０１００】
そして、使用積算時間が、光源ランプ１８１の性能に応じた寿命値を上回った場合には、メインボード１２によって、光源ランプ１８１を消灯させて、装置１内のファン（図示省略）を回転させてクールダウンするという消灯動作が強制的に行われる。この際、光源ランプ１８１の点灯時間や交換回数および投写画像の周波数や極性などを示した画像が投写される。
【０１０１】
（８）実施形態の効果
以上のような本実施形態では、以下に述べるような効果が得られる。
【０１０２】
(A) スイッチング部材２６１とともに、判別部２６０を構成するオーバーハング部２１２Ｂは、ランプハウジング１８４の立上板２１２に連続する横立部２１２Ａの上部に設けられ、ランプハウジング１８４の高さ寸法内の範囲に設けられているので、薄型化を促進でき、小型化を図ることができる。
【０１０３】
(B) 判別部２６０のスイッチング部材２６１の収納位置は、オーバーハング部２１２Ｂの収納部２１５内となっており、スイッチング部材２６１を収納するために、立上板２１２に連続する横立部２１２Ａの全体の板厚を厚くせずにすみ、装置の軽量化を図ることができる。
【０１０４】
(C) 判別部２６０のスイッチング部材２６１および検出基板２３０は、スイッチング部材２６１のばね２６３，２６４を介して電気的に接続されている。このため、ばね２６３，２６４の付勢力によって、検出基板２３０の端子部２３２に接触することが可能になる。従って、光源ランプユニット８をプロジェクター１内に装着（収納）するだけで、自動的に電気的導通を取ることができる。
【０１０５】
(D) スイッチング部材２６１は、２本のばね２６３，２６４を含み構成されており、１本のばね２６３は形状記憶合金製とされ、大きな電流（過電流）が出力されたとき、そのばね２６３が設定当時の形状に戻り、接点２６３Ａおよび先端部が収納部２１５内に収納されるようになっている。１本のばねのみ電気的導通の遮断を行えばすむので、両方とも形状記憶合金製としなくてもよく、コストが安くなる。
【０１０６】
(E) スイッチング部材２６１の２本のばね２６３，２６４は、収納部２１５内に収納されているので、むき出し状態にならず、それらのばね２６３，２６４の損傷を防止することができる。
【０１０７】
(F) 判別部２６０は、蓋部材２６５を備えており、この蓋部材２６５で、収納部２１５に収納されたスイッチング部材２６１のばね２６３，２６４を押さえることができるので、ばね２６３，２６４が収納部２１５から抜け落ちることがなく、従って、確実な光源ランプユニット８の使用の有無を判別することができる。
【０１０８】
(G) 検出基板２３０には冷却空気導入口２３１Ａが設けられているので、通電による配線２３３やコネクタ２３４の発熱を速やかに冷却することができる。
【０１０９】
（９）第２実施形態
次に、図１６に基づいて本発明の第２実施形態を説明する。
【０１１０】
本実施形態では、第１実施形態のスイッチング部材２６１がコイル状のばね２６４Ａ，２６４Ｂであり、ランプ情報検出基板２３０の端子部２３２が平坦であったのに対し、スイッチング部材を板ばね状のクリップとし、端子部を基板上から突出した形状としたものである。その他の構成については、第１の実施形態と同様であるため、その説明を省略する。
【０１１１】
スイッチング部材３６１は、板ばね状のクリップ３３５を備えて形成されている。このクリップ３３５は、形状記憶合金製とされるとともに、１枚の板状部材を折り曲げ形成したもので、正面形状が、水平な底部３３５Ａと、その両端から互いに離れる方向に広がるとともに、途中から上方に向かって狭まった挟持部３３５Ｂと、挟持部３３５Ｂから再度互いに離れる方向に広がる挿入部３３５Ｃとを有する形状となっている。
【０１１２】
このようなクリップ３３５は、第１実施形態で説明したランプハウジング１８４のオーバーハング部２１２Ｂの位置に設けられ、かつ、横立上部２１２Ａの２面にわたって設けられた水平な底板３３５Ａの上に固定されている。また、クリップ３３５は、板の幅方向一端が横立上部２１２Ａの側面に接触して設けられている。
【０１１３】
検出基板３３０は、接触面が基板面から突出した垂下部３３２とされている他は、第１実施形態の検出基板２３０と同様の構成となっている。垂下部３３２の厚さ方向両面の所定範囲は端子部３３２Ａとなっており、この端子部３３２Ａが、クリップ３３５の挟持部３３５Ｂに挿入され、かつ、挟持されるようになっている。
【０１１４】
本実施形態では、検出基板３３０がクリップ３３５の挿入部３３５Ｃから挟持部３３５Ｂに挿入され、かつ、挟持されたとき、電気的導通が確認され、さらに、電源ブロックから過電流が流されたとき、クリップ３３５が感熱変形して挟持部３３５Ｂが開かれ、電気が遮断される。
【０１１５】
なお、光源ランプユニット８が新しいものであるか否かの判断や使用時間の積算等については、第１の実施の形態と同様の手順で行われる。
【０１１６】
本実施形態では、第１の実施形態における(A) ,(B) ,(G) と同様の効果の他、以下に述べるような効果が得られる。
【０１１７】
(H) スイッチング部材３６１および検出基板３３０は、スイッチング部材3６１のクリップ３３５における挟持部３３５Ｂを介して電気的に接続されている。このため、挟持部３３５Ｂの付勢力によって、検出基板２３０の端子部２３２に接触することが可能になる。従って、光源ランプユニット８をプロジェクター１内に装着（収納）するだけで、自動的に電気的導通を取ることができる。
【０１１８】
(I) スイッチング部材３６１は、形状記憶合金製のクリップ３３５を含み構成されており、大きな電流（過電流）が出力されたとき、そのクリップ３３５が設定当時の形状に戻って開くようになっている。従って、折り曲げ形成するだけでよいので、構造が簡単であり、製作も容易となって、コストも安くなる。
【０１１９】
（１０）第３実施形態
次に、図１７〜２２に基づいて本発明の第３実施形態を説明する。
【０１２０】
第１，２実施形態では、スイッチング部材２６１，３６１をランプ情報検出基板の端子部と接触するように設けたが、スイッチング部材を端子と接触しない状態で設けても良い。本実施形態では、スイッチング部材をランプ情報検出基板の端子部と接触しない状態で設けているが、その他の構成については、先に説明した第１、第２の実施形態と同様である。よって、第１、第２の実施形態と同様の部分については、その説明を省略する。また、図１７〜２２において、第１、第２の実施形態と同様の部分については、図１〜１６で用いたのと同じ符号を付し、その説明を省略する。
【０１２１】
本実施形態の光源ランプユニット８ａでは、図１７〜２２に示すように、ランプハウジング１８４ａの底部ハウジング２１０ａの構成が、第１、第２の実施形態と相違している。底部ハウジング２１０ａは、載置板２１１ａと立上板２１２ａとを含んで構成されており、判別部を備えたランプ情報担持回路基板２２０は、載置板２１１ａの裏面に光出射方向Ｈに延びた状態で設けられている。
【０１２２】
担持基板２２０は、図１９に示すように、基板本体２２１と、この基板本体２２１の光出射側Ｈ両端に設けられた板ばね２２２と、この板ばね２２２から延びる配線２２３と、これら配線２２３間に設けられる判別部２２４とを含んで構成されている。
【０１２３】
板ばね２２２は、図２０にも示すように、矩形枠状に形成されて基板本体２２１に固設される固設部２２２Ａと、この固設部２２２Ａから折り曲げて形成された接触部２２２Ｃとを備えている。接触部２２２Ｂの先端には検出基板２３０と電気的導通をとるための接触面２２２Ｂが設けられている。なお、接触部２２２Ｃには、金メッキが施されている。
【０１２４】
判別部２２４は、光源ランプ１８１の使用の有無を判別するために設けられたものであり、図１９および図２０に示すように、形状記憶合金製の１枚の板状部材で形成されている。すなわち、判別部２２４は、互いに水平な一方側の固定部２２４Ａおよび他方側のスライド部２２４Ｂと、これら固定部２２４Ａおよびスライド部２２４Ｂとを繋ぐ断面逆Ｖ字状の連結部２２４Ｃとを有している。
【０１２５】
検出基板２３０は、プロジェクター１のケース内のスイッチング部材２６１と接触する位置に設けられており、図２０、図２１に示すように、先に説明した第１の実施形態における検出基板２３０（図１５）と同様の構成である。検出基板２３０は、基板本体２３１と、板ばね２２２の接触面２２２Ｂが接触する端子部２３２と、これら端子部２３２から延びる配線２３３と、これら配線２３３の他端が接続されるコネクタ２３４とを含んで構成される。そして、コネクタ２３４からは、図示しないケーブルが延びて、メインボード１２（図３参照）に接続されている。さらに、基板本体２３１には、ロアーケース４の吸入口４Ａを通して装置外部から導入された冷却空気を通過させる冷却空気導入口２３１Ａが形成されている。
【０１２６】
本実施形態では、新しい光源ランプユニット８ａを外装ケース内に挿入をすると、まず、図２２（Ａ）に示すように、接触面２２２Ｂと、端子部２３２とが互いに接触する。その後、さらに、光源ランプユニット８ａを挿入していくとすると、図２１（Ｂ）に示すように、接触面２２２Ｂが、端子部２３２に押圧されて、判別部側方向Ｙに変位する。この際、接触面２２２Ｂの一部である曲折部２２２Ｄは、端子部２３２に押圧されている間、端子部２３２の所定位置Ｐから所定位置Ｑまで、端子部２３２に接触しながら移動する。すなわち、光源ランプユニット８ａがケース内に装着されている間、曲折部２２２Ｄが、常に端子部２３２に接触した状態が維持されている。なお、光源ランプユニット８ａが完全に装着された状態では、図１８に示すように、検出基板２３０が判別部２２４と重ならないように、担持基板２２０および検出基板２３０が上下に積層された状態となる。
【０１２７】
そして、この状態で電気的導通が確認され、さらに電源ブロックから過電流が流されたとき、判別部２２４が感熱変形して縮むことにより、電気的導通が遮断される。
【０１２８】
なお、光源ランプユニット８ａが新しいものであるか否かの判断や使用時間の積算等については、第１の実施形態と同様の手順で行なわれる。
【０１２９】
第３の実施形態では、以下に述べるような効果が得られる。
【０１３０】
(J) 担持基板２２０および検出基板２３０は、担持基板２２０に設けられた判別部２２４が、検出基板２３０に重ならないように積層配置されている。このため、担持基板２２０および検出基板２３０が近接して積層配置されるので、ヒューズを介して積層配置された従来のプロジェクターに比べて、担持基板２２０および検出基板２３０の総厚さ寸法を小さくすることができる。従って、プロジェクター１の小型化を図ることができる。
【０１３１】
(K) 担持基板２２０および検出基板２３０は、担持基板２２０に設けられた板ばね２２２を介して電気的に接続されている。このため、板ばね２２２の付勢力によって、検出基板２３０の端子部２３２に接触することが可能になる。従って、光源ランプユニット８ａをプロジェクター１内に装着（収納）するだけで、自動的に電気的導通を取ることができる。
【０１３２】
(L) 板ばね２２２は、光源ランプユニット８ａ側に設けられているので、光源ランプユニット８ａを交換する毎に板ばね２２２も交換される。従って、付勢力の低下による接触不良を回避することができ、基板２２０、２３０同士の電気的接続を良好に維持することができる。
【０１３３】
(M) 板ばね２２２は、検出基板２３０側に付勢する接触部２２２Ｃを備えている。このため、コイルバネ等で構成する場合に比べて、構造を簡易なものにすることができるので、板ばね２２２の製造を容易にすることができる。
【０１３４】
(N) 光源ランプユニット８ａをプロジェクター１内に装着（収納）する際に、板ばね２２２の曲折部２２２Ｄは、付勢力によって端子部２３２に接触しながら所定位置Ｐから所定位置Ｑまで移動する。従って、端子部２３２に付着している塵埃などを除去することが可能となり、板ばね２２２と検出基板２３０との接触不良を未然に防止することができる。
【０１３５】
(O) 接触部２２２Ｃには、金メッキが施されている。従って、接触部２２２Ｃが酸化して錆びることがなく、長期間使用しても、確実に電気的導通を確保することができる。
【０１３６】
(P) 検出基板２３０には、冷却空気導入口２３１Ａが設けられているので、通電による配線２３３やコネクタ２３４の発熱を速やかに冷却することができる。
【０１３７】
（１１）本発明における実施形態の変形形態
なお、本発明は、以上に説明した各実施形態に限定されるものではなく、本発明の目的を達成できる限りにおいて、他の構成等をも含むものである。例えば、以下に示すような変形等も本発明に含まれる。
【０１３８】
第１実施形態では、スイッチング部材２６１を、固定部材２６２とその両端に設けられた形状記憶合金製のばね２６３および通常のばね２６４との別部材で構成したが、これに限らない。図２４に示すように、形状記憶合金製の一部材からなるばね３６４を、コ字状に折り曲げ形成したスイッチング部材２６１ａとしてもよい。
【０１３９】
また、第１実施形態では、スイッチング部材２６１を、ランプハウジング１８４の内側にオーバーハング部２１２Ｂを設けてその部位を判別部２６０としたが、これに限らず、ランプハウジング１８４の外側にオーバーハング部を設けてその部位を判別部としてもよい。
【０１４０】
さらに、第２実施形態では、クリップ３３５を含むスイッチング部材３６１が、ランプハウジング１８４の横立上部２１２Ａに底板３３３を介して設けられていたが、ライトガイド９００とランプハウジング１８４との境界近傍に、図２５に示すようなスイッチング部材３６１ａを設けてもよい。このスイッチング部材３６１ａは、例えばランプハウジング１８４に取り付けた固定部材３４３と、この固定部材３４３に設けられた感熱変形部材としてのバイメタル製のクリップ３４５と、このクリップ３４５の尖端部内部にはめ込まれたくさび部材３４６とを含んで構成されている。
【０１４１】
固定部材３４３は断面コ字状に形成され、底面はクリップ３４５の尖端部下面を固定するとともに、コ字状の両側面は、クリップ３４５の開き方向と直交する側面を軽く押さえて支持している。過電流が流されることにより、端子３３２Ａを挟持していたクリップ３４５の挟持部３４５Ｂが、図中二点差線で示すように開いたとき、くさび部材３４６が初期位置から開いた分だけ落ち込み、たとえクリップ３４５が元の形状に戻ろうとしても、くさび部材３４６のために開いた状態を保つようになっている。
【０１４２】
また、第３実施形態では、板ばね２２２の接触部２２２Ｃは、金メッキが施されていたが、白金や銀などの金属や、ステンレスなどの合金を使用してもよい。
【０１４３】
また、第３実施形態では、付勢手段として、固設部２２２Ａと接触部２２２Ｃとからなる板ばね２２２が用いられていたが、これに限られない。
【０１４４】
例えば、図２３（Ａ）に示すような、金属製板材を、湾曲させて折り曲げた板ばねを用いてもよく、この場合、板ばねの加工が容易になる。さらには図２３（Ｂ）に示すようなコイルスプリングなどを用いてもよく、この場合、市販されているものが適用でき、板ばねを安価に構成することができる。
【０１４５】
さらに、第３実施形態では、板ばね２２２は、担持基板２２０側に設けられていたが、検出基板２３０側に設けられていてもよく、このようにすれば担持基板２２０の構造も簡素になり、光源ランプユニット８ａの製造コストを低減することができる。
【０１４６】
また、第３実施形態では、判別部としては、形状記憶合金製の板状部材２２４を用い、感熱により縮むことにより、一端通じていた電気的導通を遮断させるようにしていたが、これに限らない。電気的導通が存続している間は、水平な状態であるが、過電流が流され所定の温度以上になった場合、固定部以外の部位が反り返り、電気的導通を遮断させるようにしてもよい。この場合、使用判別部の構成を簡素にすることができるので、担持基板の製造を容易にすることができる。要するに、光源ランプユニット交換時において、メインボードによる使用積算時間のリセットの後、一旦通じていた電気的導通を遮断するものであればよい。
【０１４７】
また、各実施形態において、スイッチング部材２６１，３６１および判別部２２４は、それ自身が、過電流が流されることにより加熱するヒーターを兼ねていたが、スイッチング部材２６１等の近傍に、それらとは別個にヒーターを設けてもよい。このようにすれば、スイッチング部材２６１等の感熱感知作動時間の短縮を図ることができる。
【０１４８】
さらに、各実施形態では、電気光学装置９２５は、３枚の液晶パネル９２５Ｒ、９２５Ｇ、９２５Ｂから構成されていたが、これに限らず、１枚、２枚の液晶パネルから構成されるものであってもよい。
【０１４９】
そして、各実施形態では、電気光学装置９２５は液晶パネルによって構成されていたが、液晶以外のプラズマ素子、マイクロミラーを用いたデバイスパネルから構成される光変調装置を備えたプロジェクターに本発明を採用してもよい。
【０１５０】
また、各実施形態における電気光学装置９２５は、光束Ｒ、Ｇ、Ｂを透過して変調する形式のものであったが、これに限らず、入射した光を反射しつつ変調して出射する反射型の光変調装置を備えたプロジェクターに本発明を採用してもよい。
【０１５１】
【発明の効果】
本発明の光源装置によれば、スイッチング部材が感熱変形部材で形成されているので、光源に近い部位に設けることができる。従って、光源装置の薄型化、小型化を図ることが可能となる。
【０１５２】
また、このような光源装置をプロジェクターに採用することにより、プロジェクター本体の薄型化、小型化をも図ることが可能となる。
【図面の簡単な説明】
【図１】本発明の第１実施形態に係るプロジェクターの上面側からの外観斜視図である。
【図２】第１の実施形態に係るプロジェクターの下面側からの外観斜視図である。
【図３】第１の実施形態に係るプロジェクターの内部構造を示す斜視図である。
【図４】第１の実施形態に係るプロジェクターの光学系を示す斜視図である。
【図５】第１の実施形態に係る光学系の構造を示す斜視図である。
【図６】第１の実施形態に係る光学系の構造を示す他の斜視図である。
【図７】図１のVII−VII線断面図であり、第１の実施形態に係るプロジェクターの垂直断面図である。
【図８】図７のVIII−VIII線断面図であり、第１の実施形態に係るプロジェクターの別の垂直断面図である。
【図９】第１の実施形態に係る光学系の機能を説明するための模式図である。
【図１０】第１の実施形態に係るプロジェクターのランプハウジングおよび光源装置を示す斜視図である。
【図１１】第１の実施形態に係るプロジェクターのランプハウジングおよび光源装置を下方からみた斜視図である。
【図１２】第１の実施形態に係るプロジェクターのランプハウジングおよび光源装置の側方からみた側面図である。
【図１３】第１の実施形態に係るプロジェクターの光源ランプ使用有無判別部を示し、（Ａ）は平面図、（Ｂ）は（Ａ）におけるＶ−Ｖ線に沿った縦断面図である。
【図１４】第１の実施形態に係るプロジェクターの光源ランプ使用有無判別部のスイッチング部材を示す斜視図である。
【図１５】第１の実施形態に係るプロジェクターの光源ランプ使用有無判別部用回路基板を示す平面模式図である。
【図１６】本発明の第２実施形態に係るプロジェクターの光源ランプ使用有無判別部を示す斜視図である。
【図１７】本発明の第３実施形態に係るプロジェクターのランプハウジングおよび光源装置を下方からみた斜視図である。
【図１８】第３の実施形態に係るプロジェクターのランプハウジングおよび光源装置の側方からみた側面図である。
【図１９】第３の実施形態に係るプロジェクターの光源ランプ使用有無判別部用回路基板を示す平面模式図である。
【図２０】第３の実施形態に係るプロジェクターの情報担持回路基板および情報検出回路基板の接触状態を示す断面図である。
【図２１】第３の実施形態に係るプロジェクターの情報担持回路基板を示す平面模式図である。
【図２２】第３の実施形態に係るプロジェクターの情報担持回路基板および情報検出回路基板の接触状態を示す断面図である。
【図２３】（Ａ）および（Ｂ）はともに、第１乃至第３の実施形態の変形例を示す斜視図である。
【図２４】第１実施形態の変形形態を示す斜視図である。
【図２５】第２実施形態の変形形態を示す正面図である。
【符号の説明】
１  プロジェクター
８，８ａ  光源ランプユニット
１８１  光源ランプ
２１２Ｂ  オーバーハング部
２２０  ランプ情報担持回路基板
２２２  板ばね
２２２Ａ  固設部
２２２Ｂ  接触面
２２２Ｃ  接触部
２２４  判別部
２３０  ランプ情報検出基板
２６０  判別部
２６１  スイッチング部材
２６３  形状記憶合金製のばね
２６３Ａ  接点
３３５  形状記憶合金製のクリップ
３６１  スイッチング部材
【図１】
0003791283.tif 000002
【図２】
0003791283.tif 000003
【図３】
0003791283.tif 000004
【図４】
0003791283.tif 000005
【図５】
0003791283.tif 000006
【図６】
0003791283.tif 000007
【図７】
0003791283.tif 000008
【図８】
0003791283.tif 000009
【図９】
0003791283.tif 000010
【図１０】
0003791283.tif 000011
【図１１】
0003791283.tif 000012
【図１２】
0003791283.tif 000013
【図１３】
0003791283.tif 000014
【図１４】
0003791283.tif 000015
【図１５】
0003791283.tif 000016
【図１６】
0003791283.tif 000017
【図１７】
0003791283.tif 000018
【図１８】
0003791283.tif 000019
【図１９】
0003791283.tif 000020
【図２０】
0003791283.tif 000021
【図２１】
0003791283.tif 000022
【図２２】
0003791283.tif 000023
【図２３】
0003791283.tif 000024
【図２４】
0003791283.tif 000025
【図２５】
0003791283.tif 000026